(57)【要約】【課題】  従来の建築用下地シート（ルーフィング）をステープル止めしたものでは、侵入雨水が下地シート表面を流下するときにステープル部分に付着し、その付着水滴がステープルの針穴から下地板側に侵入する（下地板を濡らす）という問題があった。【解決手段】  下地板１０の表面にステープル２１で固定される建築用下地シートにおいて、防水性を有するシート基材１の表面１ａに、ステープル２１の上辺部２２の長さより大きい直径部分を有する所定面積をもち且つシート基材表面１ａから所定小高さだけ隆起させた隆起部２を、シート基材１の前後左右に所定間隔をもって複数箇所に設けており、この建築用下地シートを下地板表面に取付ける際に各隆起部２にステープル２１を打ち込むことにより、該ステープル２１に侵入雨水が付着しない（延いてはステープルの針穴から雨水が侵入しない）ようにしている。【選択図】  図２
2010037756.tif 000002
【特許請求の範囲】
【請求項１】
下地板（１０）の表面にステープル（２１）で固定される建築用下地シートであって、防水性を有するシート基材（１）の表面（１ａ）に、前記ステープル（２１）の上辺部（２２）の長さ（Ｍ）より大きい直径（Ｎ）部分を有する所定面積をもち且つ前記シート基材表面（１ａ）から所定小高さ（Ｔ）だけ隆起させた隆起部（２）を、前記シート基材（１）の前後左右に所定間隔（Ｌ）をもって複数箇所に設けていることを特徴とする建築用下地シート。
【発明の詳細な説明】
【技術分野】
【０００１】
本願発明は、屋根下葺材や壁面下地材等として使用される建築用下地シートに関するものである。
【背景技術】
【０００２】
この種の建築用下地シートの代表例として、瓦葺き屋根に使用されるルーフィングがある。図６〜図７には、従来の一般的な瓦葺き屋根を示しているが、この種の瓦葺き屋根は、屋根の野地板１０上に屋根下葺材（ルーフィング）Ｘを敷き、その上に瓦位置決め用の瓦桟１１，１１・・を釘打ちにより取付け、その各瓦桟１１，１１・・に各瓦１２，１２・・を釘止めして施工されている。
【０００３】
瓦葺き屋根に使用されるルーフィングＸは、そのシート基材１に防水機能を有しており、例えば瓦１２，１２間の隙間からの雨水の吹き込みや瓦１２が割れたときなどに瓦１２の下面側に侵入した雨水Ｗが野地板１０側に漏れるのを防止する機能がある。
【０００４】
従来の一般的なルーフィングＸは、図６に示すように、シート基材表面１ａに凹凸のない平面シート状のものが採用されている。そして、このルーフィングＸは、屋根の野地板１０上に敷き、前後左右に所定間隔をもって順次ステープル２１，２１・・を打ち込んで野地板１０上に固定される。尚、ルーフィングを固定するのに、ステープル２１に代えて釘を使用する場合もある。
【０００５】
ルーフィングＸを野地板１０上にステープル止め（又は釘止め）する場合には、ルーフィングＸに空けられる針穴（又は釘穴）のシール性が問題となる。即ち、ステープル止めの場合は、図８に示すように、ルーフィングＸ（シート基材１）にステープル２１の両針部２３，２３が貫通することにより、該シート基材１に各針穴４，４が空けられ、その各針穴４，４部分に水滴Ｗａが付着すると、該水滴Ｗａが針穴４から野地板１０側に侵入するようになる。尚、ステープル止めしたものでは、ステープル２１の針部２３，２３で空けられた針穴４，４部分を塞ぐものがなく、釘でルーフィング止めしたもの（ルーフィングに空けられた釘穴の上部が釘の頭部で塞がれる）より、針穴４からの水滴の漏れ出し量が多くなる傾向にある。
【発明の開示】
【発明が解決しようとする課題】
【０００６】
ところで、ステープル２１で空けられた針穴４，４部分に付着する水滴Ｗａは、雨水ＷがルーフィングＸの上面（シート基材上面）１ａを流下してきたときに付着する場合がほとんどである。そして、図６〜図８に示す従来例のルーフィングＸは、その上面１ａが平滑で該ルーフィング上面１ａに直にステープル２１を打ち込んだものでは、ルーフィング上を流下する雨水Ｗの一部Ｗａがステープル２１の上辺部２２（ルーフィング上面から露出している）に接触してそこに留まり易くなり、そのステープル上辺部２２に留まった水滴Ｗａが各針部２３，２３を伝って針穴４，４から野地板１０上に侵入し易くなる。特に、屋根工事の途中で瓦１２を葺く前のルーフィングＸが野地板１０上で露出しているときに降雨があると、ルーフィングＸの上面がビショ濡れになって、ステープル２１部分にも多量の雨水Ｗが流下するようになり（ステープル２１の上辺部２２が常時濡れている）、上記針穴４，４から野地板１０上に侵入する雨水量が多くなる。
【０００７】
尚、この種の建築用下地シートは、瓦葺き屋根用のルーフィングのほかに、建物の壁用下地シートとしても使用されるが、壁用下地シートとして使用した場合でも、平滑面に直にステープル打ちしたものでは侵入雨水が該平滑面を伝ってステープルの針穴から内部に侵入する虞れがある。
【０００８】
そこで、本願発明は、下地板（野地板）の表面に下地シート（ルーフィング）をステープル止めするものにおいて、該下地シート（ルーフィング）の表面を流下する雨水がステープルに付着しない（ステープルの針穴から雨水が侵入しない）ようにできる構造の建築用下地シートを提供することを目的としている。
【課題を解決するための手段】
【０００９】
本願発明は、上記課題を解決するための手段として次の構成を有している。尚、本願発明は、屋根下葺材（ルーフィング）として使用したり、あるいは壁用下地材として使用し得る下地シートであって、下地板（野地板）に対してステープル止めで固定される建築用下地シートを対象にしている。
【００１０】
そして、本願の建築用下地シートは、防水性を有するシート基材の表面に、ステープルの上辺部長さより大きい直径部分を有する所定面積をもち且つシート基材表面から所定小高さだけ隆起させた隆起部を、シート基材の前後左右に所定間隔をもって複数箇所に設けていることを特徴としている。
【００１１】
シート基材表面に設けられる各隆起部は、ステープルを打ち込むためのスペースになるものであるが、ルーフィング止め用のステープルとしては一般に上辺部の長さが１０〜１２mm程度のもの多用されている。尚、ステープルは、エアタッカーで打ち込まれる。
【００１２】
そして、上記各隆起部は、使用されるステープルの上辺部長さ（１０〜１２mm)より大きい直径（例えば２０〜３０mm程度）部分を有する所定面積をもち且つシート基材表面から所定小高さ（例えば１〜２mm程度）だけ隆起させたものである。この各隆起部の形状は、平面視において、円形・長円形・楕円形・四角形等の適宜の形状のものを採用できる。又、この各隆起部は、シート基材の前後左右に所定間隔をもって複数箇所に設けられるが、該隆起部が設けられる前後左右の間隔は、少なくとも各ステープルを打ちたい位置（例えば３０cm間隔の各位置）に隆起部が存在するように設定される。尚、各隆起部の設置間隔は、ステープルを打ちたい間隔より狭い間隔（例えば１５cm間隔）で設けておいて、実際にステープル打ちする際に、例えば１つおきの隆起部にステープルを打ち込むようにすることもできる。
【００１３】
シート基材表面における隆起部以外の部分は、平面状態で連続しており、該連続平面部が侵入雨水の流下通路になる。
【００１４】
この建築用下地シートは、瓦葺き屋根のルーフィングとして使用するときには、隆起部が上面側になるようにして屋根の野地板上に敷き広げ、各隆起部に順次ステープルを打ち込んで下地シートを野地板上に固定するが、そのステープル打ち作業時に、各隆起部がステープル上辺部の長さより大きい面積部分を有しているので、ステープルの打ち場所が隆起部中心から多少（数mm程度）位置ずれても、該ステープルが隆起部の面積内に収まる。従って、ステープル打ちが失敗しにくい。尚、この下地シートでも、釘打ちにより下地板上に固定することができるが、その場合は釘を隆起部に打ち込むとよい。その後（下地シートを固定した後）、下地シートの上に瓦桟を取付け（野地板に釘打ちする）、各瓦桟に瓦を掛け止めて（釘打ちして）屋根工事を完成させる。
【００１５】
ところで、この下地シートを野地板上にステープル止めした状態では、各ステープルがシート基材表面から所定小高さ（１〜２mm程度）だけ隆起した各隆起部に打ち込まれているので、もし下地シート上に雨水が侵入してシート基材の平面部を流下しても、該流下雨水が隆起部の上面に乗り上げることがなく、従ってステープルに流下雨水が付着することがない。
【００１６】
尚、本願の建築用下地シートは、壁用下地材として使用する場合には、シート基材の隆起部突出側が建物の外面側に向く状態で、壁体の外装材の内側に設置される。この場合も、壁体外装材を越えて雨水が侵入して、その侵入雨水が下地シートの表面を流下しても、ステープルに水滴が付着することがない。
【発明の効果】
【００１７】
本願発明の建築用下地シートは、次のような効果がある。
【００１８】
即ち、本願の建築用下地シートは、シート基材の表面に、ステープル打ちのための隆起部を前後左右に所定間隔（ステープル打ち間隔）をもって複数箇所に形成しているので、この下地シートを例えば瓦葺き屋根のルーフィングとして使用する場合に、各ステープルを各隆起部に打ち込むことで、もし下地シート上に雨水が侵入・流下しても各ステープルに水滴が付着することがない。
【００１９】
従って、本願の建築用下地シートでは、もし雨水がシート基材表面側に侵入しても、該侵入雨水がステープルの針穴部分から下地板（野地板）側に侵入することがなく、該下地板が侵入雨水で濡れるのを確実に防止できるという効果がある。
【００２０】
又、ステープル打ち込み作業時には、各隆起部がステープル打ち込み位置の指標となるので、該隆起部の位置を見つけるだけでステープル打ち込み場所を確定でき、正確な間隔で且つスムーズに（短時間で）ステープル打ち込み作業が行えるという効果もある。
【実施例】
【００２１】
図１〜図５を参照して本願実施例の建築用下地シートを説明すると、この実施例では、建築用下地シートとして瓦葺き屋根に使用されるルーフィングＹが採用されている。
【００２２】
図１〜図３に示す実施例のルーフィングＹは、防水性を有するシート基材１の表面１ａに、前後左右に所定間隔Ｌをもって複数箇所にステープル２１の打ち場所となる隆起部２，２・・を設けていることを基本構成としている。尚、この種のルーフィングは、図１に示すように、例えば１ｍ幅程度の長尺帯状のものをロール状に巻回した形態で商品化されている。
【００２３】
シート基材１としては、紙や不織布にアスファルトを付着（含浸又は塗布）させたもの、あるいは紙や不織布等の２枚のシートでアスファルト層の表裏各面を被覆したもの等が採用できる。又、このシート基材１としては、プラスチック系やゴム系（それぞれ防水性を有している）のものも使用できる。このシート基材１の厚さは、特に限定するものではないが、０.５〜１mm程度が適当である。
【００２４】
シート基材表面に設けられる各隆起部２，２・・は、ステープル２１を打ち込むためのスペースになるものであるが、ルーフィング止め用のステープル２１としては一般に上辺部２２の長さＭ（図２）が１０〜１２mm程度のもの多用されている。尚、ステープル２１は、エアタッカーで打ち込まれる。
【００２５】
そして、上記各隆起部２，２・・は、使用されるステープル２１の上辺部長さＭ（１０〜１２mm)より大きい直径Ｎ（Ｎ＝例えば２０〜３０mm程度）部分を有する所定面積をもち且つシート基材表面１ａから所定小高さＴ（Ｔ＝例えば１〜２mm程度）だけ隆起させたものである。この各隆起部２，２・・の形状は、この実施例では平面視において円形に形成しているが、他の実施例では長円形・楕円形・四角形等の適宜の形状のものを採用できる。
【００２６】
又、この各隆起部２，２・・は、図１に示すように、シート基材１の前後左右に所定間隔Ｌ（Ｌ＝例えば３０cm程度）をもって複数箇所に設けられるが、該隆起部２が設けられる前後左右の間隔Ｌは、少なくとも各ステープル２１，２１・・を打ちたい位置に隆起部２が存在するように設定される。尚、各隆起部２，２・・の設置間隔は、ステープル２１を打ちたい間隔より狭い間隔（例えば１５cm間隔）で設けておいて、実際にステープル打ちする際に、例えば１つおきの隆起部２にステープル２１を打ち込むようにすることもできる。
【００２７】
シート基材表面１ａにおける隆起部２以外の部分は、平面状態で連続しており、該連続平面部が侵入雨水の流下通路になる。又、この実施例では、シート基材表面１ａの連続平面部に、滑り止め用として機能する多数の小凸部３，３・・を散点状態（例えば６〜１０mm間隔）で形成している。この各小凸部３，３・・は、上記各隆起部２，２・・と同高さに揃えており、後述するようにルーフィングＹ上に瓦桟１１を載せる際に、該瓦桟１１を隆起部２と小凸部３に跨がって載せたときでも該瓦桟１１が安定するようにしている。
【００２８】
尚、上記各隆起部２，２・・及び上記各小凸部３，３・・は、シート基材１としてアスファルトを含浸させたものでは、該アスファルトシートの表面に別工程でプラスチック系又はゴム系の材料を付着させて形成することができる。又、シート基材１としてプラスチック系又はゴム系の材料を使用したものでは、上記各隆起部２，２・・及び小凸部３，３・・をシート基材１と同材料で一体成形することができる。
【００２９】
図１〜図３に示す実施例の建築用下地シートは、図４〜図５に示すように、瓦葺き屋根のルーフィングＹとして使用できるが、その場合は、隆起部２が上面側になるようにして屋根の野地板１０上に敷き広げ、各隆起部２，２・・に順次ステープル２１，２１・・を打ち込んで該ルーフィングＹを野地板１０上に固定する。
【００３０】
そのステープル打ち作業時には、各隆起部２，２・・がステープル２１の打ち場所としての指標となる。又、各隆起部２，２・・がステープル上辺部２２の長さＭ（図２）より大きい直径Ｎ（図２）の面積部分を有しているので、ステープル２１の打ち場所が隆起部中心から多少（数mm程度）位置ずれても、該ステープル２１が隆起部２の面積内に収まる（ステープル打ちが失敗しにくい）。尚、ステープル打ち込み状態では、ステープル２１の両針部２３，２３が隆起部２及びシート基材１部分を貫通しているが、各針部２３，２３で空けられた針穴は隆起部２に位置している。
【００３１】
その後（ルーフィングＹを固定した後）、ルーフィングＹの上に瓦桟１１を取付け（野地板１０に釘打ちする）、各瓦桟１１に瓦１２，１２・・を掛け止めて（釘打ちして）屋根工事を完成させる。
【００３２】
ところで、このルーフィングＹを野地板１０上にステープル止めした状態では、各ステープル２１，２１・・が各隆起部２，２・・に打ち込まれているので、ルーフィングＹ上に雨水が侵入し（図４の符号Ｗ）、その侵入雨水Ｗがシート基材１の平面部（表面１ａ）を流下して、図５に示すように該流下雨水Ｗａが隆起部２に差しかかったときに、該隆起部２が小高さＴ（図２）だけ高くなっているので、該流下雨水Ｗａが矢印Ｗｂで示すように隆起部２の周囲を迂回して流下するようになる。従って、該流下雨水Ｗａが隆起部２上のステープル２１に付着することがなく、ステープル２１の針部２３，２３でシート基材１に空けられた針穴から雨水が野地板１０上に漏れるという問題を未然に解消できる。
【００３３】
又、ステープル打ち込み作業時には、各隆起部２０２・・がステープル打ち込み位置の指標となるので、該隆起部２の位置を見つけるだけでステープル打ち込み場所を確定でき、正確な間隔で且つスムーズに（短時間で）ステープル打ち込み作業が行える。
【００３４】
尚、この実施例のように、シート基材表面１ａの平面部に多数の小凸部３，３・・を設けたものでは、該各小凸部３，３・・が作業時の滑り止め機能を果たすとともに、瓦桟１１を取付けた状態でシート基材表面１ａの平面部と瓦桟１１の下面との間に隙間を形成できるので、ルーフィングＹ上に侵入した雨水Ｗが瓦桟１１に堰止められることなくルーフィングＹ上を流下するようになる。従って、瓦桟６が侵入雨水Ｗで濡れないという作用がある。
【図面の簡単な説明】
【００３５】
【図１】本願実施例の建築用下地シートの斜視図である。
【図２】図１の建築用下地シートの一部拡大図である。
【図３】図１の建築用下地シートにおける隆起部を含む部分の拡大断面図である。
【図４】図１の建築用下地シートを屋根のルーフィングとして使用した場合の瓦葺き屋根の断面図である。
【図５】図４の瓦葺き屋根に使用したルーフィングにおける隆起部の作用説明図である。
【図６】従来の一般的なルーフィングの敷設状態を示す斜視図である。
【図７】図６のルーフィングを使用した瓦葺き屋根の断面図である。
【図８】図７のＶIII−ＶIII拡大断面図である。
【符号の説明】
【００３６】
１はシート基材、２は隆起部、３は小凸部、４は針穴、１０は下地板（野地板）、２１はステープル、２２はステープル上辺部、Ｙはルーフィングである。
【図１】
2010037756.tif 000003
【図２】
2010037756.tif 000004
【図３】
2010037756.tif 000005
【図４】
2010037756.tif 000006
【図５】
2010037756.tif 000007
【図６】
2010037756.tif 000008
【図７】
2010037756.tif 000009
【図８】
2010037756.tif 000010